(57)【特許請求の範囲】
【請求項１】
機器内の動作を制御する第１の制御手段、該第１の制御手段によって制御され、送受信記録データを記憶する第１の記憶手段及びメッセージ再生手段を有する携帯端末機と、
１つ以上のメッセージが記憶されている第２の記憶手段及び該第２の記憶手段を制御する第２の制御部を備えた充電手段と、
を備え、
該携帯端末機と該充電手段が接続されたとき、該第２の制御部は、該携帯端末機から該送受信記録データを読み取り、読み込まれた該送受信記録データを基に、該第２の記憶手段に記憶されている該１つ以上のメッセージから特定のメッセージを選択して、該第１の制御部に転送し、該選択されたメッセージを該メッセージ再生手段で再生することを特徴とする携帯端末装置。
【請求項２】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び音声メッセージが格納されている第２の記憶手段を有する充電手段と、
を備え、
該携帯端末機が該充電手段に接続されると、該メッセージ制御手段は、送受信記録データを含むパラメータ情報を該携帯端末機より読み取り、読み込まれた該パラメータ情報を基に、該第２の記憶手段から任意の音声メッセージを選択し、該携帯端末機の該制御手段に転送し、該制御手段によって音声に変換されたメッセージを該音声再生手段で再生することを特徴とする携帯端末装置。
【請求項３】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び単語音声データが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、単語音声データが格納されている該第２の記憶手段より任意の単語音声データを少なくとも１つ以上選択して音声メッセージを作成して該携帯端末機の該制御手段に転送し、該制御手段によって音声に変換されたメッセージを該音声再生手段で再生することを特徴とする携帯端末装置。
【請求項４】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及びテキストメッセージが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、テキストメッセージが格納されている該第２の記憶手段より任意のテキストメッセージを選択し、音声合成処理を施して音声メッセージに変換して該携帯端末機の該制御手段に転送し、該制御手段によって音声に変換されたメッセージを該音声再生手段で再生することを特徴とする携帯端末装置。
【請求項５】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び単語テキストデータが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、単語テキストデータが格納されている該第２の記憶手段より任意の単語テキストデータを少なくとも１つ以上選択してテキストメッセージを作成し、音声合成処理を施して音声メッセージに変換して該携帯端末機の制御手段に転送し、該制御手段によって音声に変換されたメッセージを該音声再生手段より再生することを特徴とする携帯端末装置。
【請求項６】
機器内の動作を制御するための制御手段、動作に必要となるプログラムや送受信記録データを保持するための第１の記憶手段、各操作のための複数のキーによって構成される入力手段、音声再生手段、タイマ手段及び無線手段を有し、該無線手段を介する無線信号の伝送により通話若しくは通信を行なう携帯端末機と、
メッセージ制御手段及び音声メッセージが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、音声メッセージが格納されている該第２の記憶手段より任意の音声メッセージを選択して該携帯端末機の該制御手段に転送し、該制御手段によって音声に変換されたメッセージを該音声再生手段で再生し、再生後に該タイマ手段によって次回の音声再生のタイミングを計り、再度、該携帯端末機の該音声再生手段より該メッセージを再生することを特徴とする携帯端末装置。
【請求項７】
機器内の動作を制御するための制御手段、動作に必要となるプログラムや送受信記録データを保持すると共に画像データを記憶するための第１の記憶手段、各操作のための複数のキーによって構成される入力手段、表示手段、音声再生手段及び無線手段を有し、該無線手段を介する無線信号の伝送により通話若しくは通信を行なう携帯端末機と、
メッセージ制御手段及び音声メッセージが格納されている第２の記憶手段を有する充電手段と、
を備え、
該携帯端末機が該充電手段に接続されると、該携帯端末機の該表示手段に該携帯端末機の該第１の記憶手段に記憶されている、少なくとも１つ以上の画像データを選択して表示させ、該メッセージ制御手段は、少なくとも送受信記録データを含むパラメータ情報を該携帯端末機より読み取り、読み込まれた該パラメータ情報を基に、少なくとも１つ以上の音声メッセージを格納している該第２の記憶手段より任意の音声メッセージを選択し、該携帯端末機の該制御手段に転送し、該制御手段によって音声に変換され、該携帯端末機の該音声再生手段で該メッセージを再生すると共に、該メッセージに合わせて、該表示された画像データと異なる画像データとを交互に該表示手段に表示することを特徴とする携帯端末装置。
【請求項８】
機器内の動作を制御するための制御手段、動作に必要となるプログラムや送受信記録データを保持すると共に画像データを記憶するための第１の記憶手段、各操作のための複数のキーによって構成される入力手段、表示手段、音声再生手段及び無線手段を有し、該無線手段を介する無線信号の伝送により通話若しくは通信を行なう携帯端末機と、
メッセージ制御手段及び音声メッセージが格納されている第２の記憶手段を有する充電手段と、
を備え、
該携帯端末機が該充電手段に接続されると、該携帯端末機の該制御部は電池残量に代表される携帯端末機の状態に合わせた画像データを該第１の記憶手段に記憶されている画像データから選択して該表示手段に表示させ、該メッセージ制御手段は、少なくとも送受信記録データを含むパラメータ情報を該携帯端末機より読み取り、読み込まれた該パラメータ情報を基に、音声メッセージを格納している該第２の記憶手段より任意の音声メッセージを選択して該携帯端末機の該制御手段に転送し、該制御手段によって音声に変換され、該携帯端末機の該音声再生手段で該メッセージを再生すると共に、該メッセージに合わせて、該表示された画像データと異なる画像データとを交互に該表示手段に表示することを特徴とする携帯端末装置。
【請求項９】
機器内の動作を制御するための制御手段、動作に必要となるプログラムや送受信記録データを保持するための第１の記憶手段、各操作のための複数のキーによって構成される入力手段、音楽データ再生手段、加算器、再生手段及び無線手段を有し、該無線手段を介する無線信号の伝送により通話若しくは通信を行なう携帯端末機と、
メッセージ制御手段及び音楽データ付き音声メッセージが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、音楽データ付き音声メッセージを格納している該第２の記憶手段より任意の音楽データ付き音声メッセージを選択し、該携帯端末機の該制御手段に転送し、該メッセージは該制御手段によって音声に変換され、該音楽データは該音楽データ再生手段によって音楽に変換され、該メッセージと該音楽を該加算器で加算して該再生手段で再生することを特徴とする携帯端末装置。
【請求項１０】
機器内の動作を制御するための制御手段、動作に必要となるプログラムや送受信記録データを保持するための第１の記憶手段、各操作のための複数のキーによって構成される入力手段、第１の無線通信手段、音声再生手段及び無線手段を有し、該無線手段を介する無線信号の伝送により通話若しくは通信を行なう携帯端末機と、
メッセージ制御手段、音声メッセージが格納されている第２の記憶手段及び第２の無線通信手段を有する充電手段と、
を備え、
該第１の無線通信手段と該第２の無線通信手段とが通信可能な状態になると、該メッセージ制御手段は、少なくとも送受信記録データを含むパラメータ情報を該携帯端末機より該第１及び第２の無線通信手段を介して読み取り、読み込まれた該パラメータ情報を基に、音声メッセージが格納されている該第２の記憶手段より任意の音声メッセージを選択し、該携帯端末機の該制御手段に該第１及び該第２の無線通信手段を介して転送し、該制御手段によって音声に変換されたメッセージを該音声再生手段で再生することを特徴とする携帯端末装置。
【請求項１１】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び音声メッセージが格納されている第２の記憶手段を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、音声メッセージが格納されている該第２の記憶手段より任意の音声メッセージを選択し、該携帯端末機の該制御手段に転送し、該携帯端末機で送受信されている文字メールの言語に合わせた言語の音声メッセージを該音声再生手段で再生することを特徴とする携帯端末装置。
【請求項１２】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び外部機器接続用コネクタ部を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、該外部機器接続用コネクタ部に接続されている外部機器より、音声データを選択し、該携帯端末機の該制御手段に転送し、該制御手段によって音声に変換された該メッセージを該音声再生手段で再生することを特徴とする携帯端末装置。
【請求項１３】
機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、
メッセージ制御手段及び音声が記憶されているメモリカードを接続するためのメモリカード用スロット部を有する充電手段と、
を備え、
該携帯端末機が該充電手段に接続されると、該メッセージ制御手段は、少なくとも送受信記録データを含むパラメータ情報を該携帯端末機より読み取り、読み込まれた該パラメータ情報を基に、該メモリカード用スロット部に挿入されている該メモリカードより任意の音声メッセージを選択し、該携帯端末機の該制御手段に転送し、該制御手段によって音声に変換して該音声再生手段で再生することを特徴とする携帯端末装置。
【発明の詳細な説明】
【０００１】
【発明の属する技術分野】
本発明は携帯端末装置に係り、特に充電台にメセージ選択機能を持たせ、携帯端末機で出力する携帯端末装置に関する。
【０００２】
【従来の技術】
従来、充電台は携帯端末機の充電を行なうための台であり、また室内におかれた時の携帯端末機のスタンドであった。また、充電台の大きさや形状も各社まちまちである。しかし、実際の充電台の内部回路の構成は大きく分けて、充電回路部が存在しているタイプのものと、電源及びグランドとの金属接点だけが存在しているタイプのものと２種類あるが、共に空間的な余裕は十分に残っていると言える。
【０００３】
使用者は、室内等自分の生活するスペースに戻った時は、携帯端末機は通常充電台に置かれることが多い。当然、消耗した電池を充電するために充電台に置くのであるが、置き忘れ等を防止するためのスタンドとしての利用も多い。また、最近、一人暮らしの人々の間では固定電話を持たず携帯端末機のみで、屋外／屋内関係なく使用する場合が増えている。その場合では、特に室内で着信した時に、直ぐに電話が取れるようにいつも決まった場所に置くようになる。大抵の場合は、その場所には充電台が置かれ、スタンドとして利用されている。
【０００４】
この携帯端末機の充電台に充電機能以外の機能を付加する技術については、あまり公知例がなく、特開平９−１５３９３８号公報に充電台に留守番電話機能を設けた例があるぐらいである。この従来例には、使用者からの要求である小型・軽量化を図るために携帯端末機のみで実現することが困難である留守番電話機能を、まだスペース的に余裕のある充電台の中に移すことが示されている。これは、充電台に携帯端末機が置かれている状態でのみ利用可能な留守番電話機能であって、充電器内に留守番機能部と録音したメッセージを保存するメモリ部（ＲＯＭ、ＲＡＭ）を内蔵し、留守モードになった時は、充電器内のＲＯＭに記憶されている固定メッセージを相手に対して再生し、更に、用件メッセージを録音してＲＡＭに保存する。録音した用件メッセージは、充電台に備えられているスピーカより再生される。
【０００５】
【発明が解決しようとする課題】
特開平９−１５３９３８号公報に開示されたものは、充電台内に留守番電話機能を実現するための回路部が全て内蔵した構成になっている。この回路部は、制御用ＣＰＵ／ＤＳＰ／ＲＯＭ／ＲＡＭやアンプ／スピーカ等のメッセージ録音再生回路部に加え、ＬＣＤ／操作部等の実際に機能を使う場合の操作部まで充電台内に搭載されているため追加回路が大規模になってしまい、充電器本体が非常に大型化してしまう。更に、携帯端末機本体以外にこれだけの部品を使うことになると、必要以上にコストも増大してしまい、実現するのは厳しい。
【０００６】
また、あくまで留守番電話機能なので、特定のメッセージの再生と録音されたメッセージの再生しか出来ず、自由なメッセージの再生は不可能である。
【０００７】
本発明の目的は、充電台を用いて、携帯端末機内に保存される送受信記録等の各種ログデータをもとに、その日若しくはその時の状況に応じたメッセージを選択し、携帯端末にて選択されたメッセージを再生する携帯端末装置を提供することにある。
【０００８】
【課題を解決するための手段】
本発明は、以下の構成になる携帯端末装置により上記目的を達成するものである。
第１に、機器内の動作を制御する第１の制御手段、該第１の制御手段によって制御され、送受信記録データを記憶する第１の記憶手段及びメッセージ再生手段を有する携帯端末機と、１つ以上のメッセージが記憶されている第２の記憶手段及び該第２の記憶手段を制御する第２の制御部を備えた充電手段と、を備え、該携帯端末機と該充電手段が接続されたとき、該第２の制御部は、該携帯端末機から該送受信記録データを読み取り、読み込まれた該送受信データを基に、該第２のメモリ部に記憶されている該１つ以上のメッセージから特定のメッセージを選択して、該第１の制御部に転送し、該選択されたメッセージを該メッセージ再生手段で再生する携帯端末装置。
第２に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該メッセージ制御手段は、送受信記録データを含むパラメータ情報を該携帯端末機より読み取り、読み込まれた該パラメータ情報を基に、該第２の記憶手段から任意の音声メッセージを選択し、該携帯端末機の該制御手段に転送し、該制御手段によって音声に変換されたメッセージを該音声再生手段で再生する携帯端末装置。
第３に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び単語音声データが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、単語音声データが格納されている該第２の記憶手段より任意の単語音声データを少なくとも１つ以上選択して音声メッセージを作成して該携帯端末機の該制御手段に転送し、該制御手段によって音声に変換されたメッセージを該音声再生手段で再生する携帯端末装置。
第４に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及びテキストメッセージが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、テキストメッセージが格納されている該第２の記憶手段より任意のテキストメッセージを選択し、音声合成処理を施して音声メッセージに変換して該携帯端末機の該制御手段に転送し、該制御手段によって音声に変換されたメッセージを該音声再生手段で再生する携帯端末装置。
第５に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び単語テキストデータが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、単語テキストデータが格納されている該第２の記憶手段より任意の単語テキストデータを少なくとも１つ以上選択してテキストメッセージを作成し、音声合成処理を施して音声メッセージに変換して該携帯端末機の制御手段に転送し、該制御手段によって音声に変換されたメッセージを該音声再生手段より再生する携帯端末装置。
第６に、機器内の動作を制御するための制御手段、動作に必要となるプログラムや送受信記録データを保持するための第１の記憶手段、各操作のための複数のキーによって構成される入力手段、音声再生手段、タイマ手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、音声メッセージが格納されている第２の記憶手段より任意の音声メッセージを選択して該携帯端末機の該制御手段に転送し、該制御手段によって音声に変換されたメッセージを該音声再生手段で再生し、再生後に該タイマ手段によって次回の音声再生のタイミングを計り、再度該携帯端末機の音声再生手段より該メッセージを再生する携帯端末装置。
第７に、機器内の動作を制御するための制御手段、動作に必要となるプログラムや送受信記録データを保持すると共に画像データを記憶するための第１の記憶手段、各操作のための複数のキーによって構成される入力手段、表示手段、音声再生手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該携帯端末機の表示部に該携帯端末機のメモリ部に記憶されている、少なくとも１つ以上の画像データを選択して表示させ、該メッセージ制御手段は、少なくとも送受信記録データを含むパラメータ情報を該携帯端末機より読み取り、読み込まれた該パラメータ情報を基に、少なくとも１つ以上の音声メッセージを格納している該第２の記憶手段より任意の音声メッセージを選択し、該携帯端末機の制御手段に転送し、該制御手段によって音声に変換され、該携帯端末機の音声再生手段で該メッセージを再生すると共に、該メッセージに合わせて、該表示された画像データと異なる画像データとを交互に該表示手段に表示する携帯端末装置。
第８に、機器内の動作を制御するための制御手段、動作に必要となるプログラムや送受信記録データを保持すると共に画像データを記憶するための第１の記憶手段、各操作のための複数のキーによって構成される入力手段、表示手段、音声再生手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該携帯端末機の該制御部は電池残量に代表される携帯端末機の状態に合わせた画像データを該第１の記憶手段に記憶されている画像データから選択して該表示手段に表示させ、該メッセージ制御手段は、少なくとも送受信記録データを含むパラメータ情報を該携帯端末機より読み取り、読み込まれた該パラメータ情報を基に、音声メッセージを格納している該第２の記憶手段より任意の音声メッセージを選択して該携帯端末機の該制御手段に転送し、該制御手段によって音声に変換され、該携帯端末機の該音声再生手段で該メッセージを再生すると共に、該メッセージに合わせて、該表示された画像データと異なる画像データとを交互に該表示手段に表示する携帯端末装置。
第９に、機器内の動作を制御するための制御手段、動作に必要となるプログラムや送受信記録データを保持するための第１の記憶手段、各操作のための複数のキーによって構成される入力手段、音楽データ再生手段、加算器、再生手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、音楽データ付き音声メッセージを格納している該第２の記憶手段より任意の音楽データ付き音声メッセージを選択し、該携帯端末機の該制御手段に転送し、該メッセージは該制御手段によって音声に変換され、該音楽データは該音楽データ再生手段によって音楽に変換され、該メッセージと該音楽を該加算器で加算して該再生手段で再生する携帯端末装置。
第１０に、機器内の動作を制御するための制御手段、動作に必要となるプログラムや送受信記録データを保持するための第１の記憶手段、各操作のための複数のキーによって構成される入力手段、第１の無線通信手段、音声再生手段及び無線手段を有し、該無線手段を介する無線信号の伝送により通話若しくは通信を行なう携帯端末機と、メッセージ制御手段、音声メッセージが格納されている第２の記憶手段及び第２の無線通信手段を有する充電手段と、を備え、該第１の無線通信手段と該第２の無線通信手段とが通信可能な状態になると、該メッセージ制御手段は、少なくとも送受信記録データを含むパラメータ情報を該携帯端末機より該第１及び第２の無線通信手段を介して読み取り、読み込まれた該パラメータ情報を基に、音声メッセージが格納されている該第２の記憶手段より任意の音声メッセージを選択し、該携帯端末機の該制御手段に該第１及び該第２の無線通信手段を介して転送し、該制御手段によって音声に変換されたメッセージを音声再生手段で再生する携帯端末装置。
第１１に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び音声メッセージが格納されている第２の記憶手段を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、音声メッセージが格納されている該第２の記憶手段より任意の音声メッセージを選択し、該携帯端末機の該制御手段に転送し、該携帯端末機で送受信されている文字メールの言語に合わせた言語の音声メッセージを該音声再生手段で再生する携帯端末装置。
第１２に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び外部機器接続用コネクタ部を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、該外部機器接続用コネクタ部に接続されている外部機器より、音声データを選択し、該携帯端末機の該制御手段に転送し、該制御手段によって音声に変換された該メッセージを該音声再生手段で再生する携帯端末装置。
第１３に、機器内の動作を制御するための制御手段、動作に必要となるプログラムや送受信記録データを保持するための第１の記憶手段、各操作のための複数のキーによって構成される入力手段、音声再生手段及び無線手段を有し、該無線手段を介する無線信号の伝送により通話若しくは通信を行なう携帯端末機と、メッセージ制御手段及び音声が記憶されているメモリカードを接続するためのメモリカード用スロット部を有する充電手段と、を備え、該携帯端末機が該充電手段に接続されると、該メッセージ制御手段は、少なくとも送受信記録データを含むパラメータ情報を該携帯端末機より読み取り、読み込まれた該パラメータ情報を基に、該メモリカード用スロット部に挿入されている該メモリカードより任意の音声メッセージを選択し、該携帯端末機の制御手段に転送し、該制御手段によって音声に変換して該音声再生手段で再生する携帯端末装置。
【０００９】
以下の実施の形態によれば、本発明は、充電台に再生するためのＰＣＭデータで作成された各種台詞メッセージが少なくとも１つ以上記憶されているメモリ部と、各種ログデータを解析し、メモリ部に記憶されているメッセージを読み出して、携帯端末機に転送する機能等を持つ台詞メッセージ制御部が備えられている。充電台に携帯端末機が置かれたことを充電台内の台詞メッセージ制御部が検出すると、台詞メッセージ制御部は携帯端末機から読み取った各種ログデータをもとに、予め充電台内のメモリ部に記憶されている複数個のＰＣＭ台詞メッセージデータの中から、その日若しくはその時の状況に最適なＰＣＭ台詞メッセージデータを選択して携帯端末機の制御部に転送、転送されたＰＣＭ台詞メッセージデータはアナログ音声に変換され携帯端末機に備えられているスピーカによって再生される。この各種ログデータとは、例えば、送受信記録やスケジュール等の個人データや現在の日時や曜日のデータ、また更に、今後携帯端末機で実現される様々な機能、例えば自分の現在位置を示す位置情報データ等のデータも含める。
【００１０】
また、メモリ部に記憶しておく複数のＰＣＭ台詞メッセージデータを文節単位や単語毎とすることで、再生する台詞の種類を増やし、更に、様々な状況に応じた台詞メッセージの作成及び再生が可能となる。
【００１１】
また、充電台内の台詞メッセージ制御部における音声データ変換処理方法を、テキスト音声合成処理方法とすることで、メモリ部に記憶させておく台詞メッセージデータをテキスト形式にすることが出来る。同じ台詞メッセージでも、ＰＣＭ形式と比べるとテキスト形式の方がデータサイズは小さくて済むので、記憶させられるメッセージ数を多くすることが出来るので、更に、多くの状況に応じたメッセージの作成及び再生が可能となる。
【００１２】
また、タイマ手段を用いて、予め定められた時間後に再度メッセージを再生するようにしてもよい。
【００１３】
また、台詞を再生する際、表示手段に予め設定したキャラクタやイラスト等を表示し、あたかも携帯端末機自身がその台詞をしゃべっている様な状態を擬似的に作り出してもよい。
【００１４】
また、携帯端末機の状態、例えば電池残量をキャラクタで示してもよい。
【００１５】
また、音楽データ再生手段を設け、メッセージと共に充電台から携帯端末機に転送された音楽を合わせて再生してもよい。
【００１６】
携帯端末機と充電台とは無線通信手段を通じて通信を行うようにしてもよい。
【００１７】
また、携帯端末機で送受信されている文字メールの言語に音声メッセージを翻訳したり、いくつかの言語の音声データを充電台のメモリに格納しておくことによって、文字メールの言語と同じ言語でメッセージを再生してもよい。
【００１８】
また、充電台に外部機器接続用コネクタ部を設け、このコネクタに接続されている外部機器から音声データを選択して、携帯端末機に転送して、音声で再生してもよい。
【００１９】
また、充電台にメモリカード用スロット部を設け、このメモリカード用スロット部に挿入されたメモリカードに記憶されている音声データを選択して、携帯端末機に転送して、音声で再生してもよい。
【００２０】
【発明の実施の形態】
以下、本発明の実施の形態を、幾つかの実施例を用い、図を参照して説明する。
以下、本発明の第１の実施例について、図１及び図２を用いて説明する。
【００２１】
図１は本発明による携帯端末装置の第１の実施例を示すブロック図である。
【００２２】
図１において充電台１は、携帯端末機２より読み出した少なくとも送受信ログデータを含む各種パラメータの解析を行ない、最適な台詞メッセージを選択若しくは作成する台詞メッセージ制御部１０、少なくとも１つ以上の台詞メッセージが記憶されているメモリ部１１、充電台１に携帯端末機２が置かれたことを検出するための置台検出部１２、携帯端末機２と物理的に信号線を接続してデータの受け渡しを行なうコネクタ部１３によって構成されている。
【００２３】
台詞メッセージが記憶されているメモリ部１１は、固定の台詞メッセージのみの再生であればＲＯＭを用いてもよい。また、配信サーバ等からの新しい台詞メッセージを入手したり、人間の声を録音させることによって台詞メッセージを書き換えたり、更には学習機能等を盛り込ませることで台詞メッセージを変更したり、追加したりする場合にはＲＡＭを用いると好適である。状況次第で、ＲＯＭとＲＡＭを併用してもよい。
【００２４】
携帯端末機２は、アンテナ２９で受信した無線信号に復号処理を施して音データを含む受信データを得る手段として、無線手段３０と符号復号処理手段３１により構成される。無線電波の送受信を行なうアンテナ２９は送受信データと無線信号とを変換する無線手段３０に接続され、無線手段３０は、送受信データと音声信号とを符号復号処理を行う符号復号処理手段３１に接続される。符号復号処理手段３１にはマイク３２とレシーバ（受話器）３３とが接続される。無線手段３０と符号復号処理手段３１は制御手段２０により制御される。制御手段２０には、表示部２２、入力手段２３、主なる動作を制御するために必要となるプログラム及び各種データを保持するためのメモリ手段２１、音声メッセージを再生するために増幅器２４とスピーカ２５が拡声手段として接続される。このスピーカ２５は着信音を発生するスピーカを利用できる。また、時計部２６が接続されている。
【００２５】
メモリ手段２１内には、送受信ログデータを含む各種パラメータが格納される。例えば、送信ログデータとは各相手に対する発信回数や発信した時間、通話時間等であり、着信ログデータも同様に着信回数や着信した時間、通話時間等である。また、スケジュール等の情報も格納されている。
【００２６】
次に図２のフローチャートを用いて充電台１及び携帯端末機２の要部動作について説明する。
【００２７】
図２は本発明による携帯端末装置の第１の実施例の動作を示すフローチャートである。
【００２８】
使用者は、帰宅すると携帯端末機２を充電台１に置く。例えば、置かれた時間が６月３０日（金曜日）の午後７：００だったとする。ステップ１００で携帯端末機２が載置されたか否かを検出する。携帯端末機２が充電台１に置かれた場合、充電台１のコネクタ部１３と携帯端末機２のコネクタ部２８が接続される。ステップ１０１で充電台１の置台検出部１２が充電台１に携帯端末機２が置かれたことを検出すると、携帯端末機２が置かれたことを台詞メッセージ制御部１０に通知する。携帯端末機２では、ステップ１０２で、携帯端末機２が充電台１に置かれたことを置台検出部２７は検出する。充電台１と携帯端末機２で携帯端末機２が充電台１に置かれたことが検出されると、それぞれステップ１０３、１０４に移行して、充電台１と携帯端末機２の間で通信を確立するためのネゴシエーションがおこ行なわれる。通信が確立されたら、携帯端末機２は、ステップ１０５で、充電台１が置かれたことを制御部２０に通知し、メモリ部２１に記憶されている少なくとも送受信ログデータを含む各種パラメータの読み出しを充電台１に許可する。充電台１に携帯端末機２が置かれたことを認識した台詞メッセージ制御部１０は、ステップ１０６において、携帯端末機２内のメモリ部２１に保存されている各種パラメータの読み込みを開始する。ここで携帯端末機２より読み込んだ各種パラメータは、送受信ログデータ等の各種ログデータとしているが、時計機能部より日時データや位置情報データ、更には今後実施される新規サービスにおいて出てくるログデータも含めてもよい。次に、ステップ１０７で、台詞メッセージ制御部１０は、読み込んだ各種パラメータを解析し、ステップ１０８で充電台１内のメモリ部１１内に記憶されている少なくとも１つ以上のＰＣＭ台詞メッセージの中から、読み込んだ各種メッセージを基に想定される状況に対して最適なＰＣＭ台詞メッセージを選択し、メモリ部１１から台詞メッセージ制御部１０に読み込む。今、読み込まれた各種パラメータとして、「金曜日」「午後７：００」があったとすると、メモリ部１１から「花の金曜日なのに何も予定が無いのか。」というＰＣＭ台詞メッセージを選択し、読み込む。更に「送信記録無し」「受信記録無し」もあったとすると、「今日、誰かとお話しましたか。友達は大切ですよ。」というＰＣＭ台詞メッセージを選択し読み込む。次にステップ１０９に移行し、読み込まれたＰＣＭ台詞メッセージは接続されたコネクタ部を通り、携帯端末機２へ転送される。充電台１の台詞メッセージ制御部１０よりコネクタ部を通って転送されたＰＣＭ台詞メッセージは、ステップ１１０でアナログの音声データに変換される。変換された音声データは、ステップ１１１で増幅器２４にて増幅され、スピーカ２５にて再生される。
【００２９】
次に、本発明の第２の実施例を図３のフローチャートに従って説明する。
【００３０】
図３は本発明による携帯端末装置の第２の実施例の動作を示すフローチャートである。前述の実施例では、充電台１内のメモリ部１１に記憶されているＰＣＭ台詞メッセージは、１つの文章であったが、本実施例では、メモリ部１１に記憶されているメッセージは、あらかじめ作られた文章ではなく、文章を構成するための単語が複数個記憶されてあり、台詞メッセージ制御部１０で複数個の単語を繋ぎ合わせ、１つの文章を作成する。ハードウェア構成は図１に示すブロック図を用いることができる。また、図２と同じステップについては、同一の符号をつけて説明する。
【００３１】
図３において、使用者は、帰宅すると携帯端末機２を充電台１に置く。例えば、置かれた時間が６月３０日（金曜日）の午後７：００だったとする。携帯端末機２が充電台１に置かれると充電台１のコネクタ部１３と携帯端末機２のコネクタ部２８が接続される。ステップ１００で充電台１の置台検出部１２が充電台１に携帯端末機２が置かれ、ステップ１０１でこれを検出すると、携帯端末機２が置かれたことを台詞メッセージ制御部１０に通知する。携帯端末機２の置台検出部２７は、ステップ１０２で携帯端末機２が充電台１に置かれたことを検出する。ステップ１０３、１０４では、充電台１と携帯端末機２の間で通信を確立するためのネゴシエーションが行なわれ、、通信が確立されたら、ステップ１０５で、携帯端末機１が充電台１に置かれたことを制御部２０に通知し、メモリ部２１に記憶されている少なくとも送受信ログデータを含む各種パラメータの読み出しを許可する。充電台１に携帯端末機２が置かれたことを認識した台詞メッセージ制御部１０は、ステップ１０６で携帯端末機２内のメモリ部２１に保存されている各種パラメータの読み込みを開始する。次にステップ１０７で、台詞メッセージ制御部１０は、読み込んだ各種パラメータを解析し、更に、ステップ２００で充電台１内のメモリ部１１内に記憶されている複数個のＰＣＭ単語データの中から、読み込んだ各種パラメータを基に想定される状況に対して最適な台詞メッセージを、ＰＣＭ単語データを繋ぎ合わせて１つのＰＣＭ台詞メッセージを作成する。ここで読み込まれた各種パラメータとして、「金曜日」「午後７：００」があったとすると、メモリ部１１から幾つかのＰＣＭ単語データを選択し、繋ぎ合わせて「花の金曜日なのに何も予定が無いのか。」というＰＣＭ台詞メッセージを作成する。作成されたＰＣＭ台詞メッセージは、ステップ１０９で接続されたコネクタ部１３、２８を通り、携帯端末機２へ転送される。充電台１の台詞メッセージ制御部１０よりコネクタ部を通って転送されたＰＣＭ台詞メッセージは、ステップ１１０でアナログの音声データに変換される。変換された音声データは、ステップ１１１で増幅器２４にて増幅され、スピーカ２５にて再生される。
【００３２】
以下、本発明の第３の実施例を図４のフローチャートに従って説明する。
【００３３】
図４は本発明による携帯端末装置の第３の実施例の動作を示すフローチャートである。前述の実施例では、充電台１内のメモリ部１１に記憶されている台詞メッセージはＰＣＭデータであったが、本実施例ではメモリ部１１にテキスト形式の台詞メッセージが記憶されており、再生時には、音声合成処理を施し、ＰＣＭ台詞メッセージに変換する。テキストデータは、同じ台詞を記憶させるのに必要とされるメモリ容量がＰＣＭデータと比べ非常に少なくて済むため、多くの台詞メッセージ或いは台詞メッセージを作成するための単語データを記憶することが可能となる。ハードウェア構成は図１に示すブロック図を用いることができる。また、図２と同じステップには同じ符号をつけて説明する。
使用者は、帰宅すると携帯端末機２を充電台１に置く。例えば、置かれた時間が６月３０日（金曜日）の午後７：００だったとする。携帯端末機２が充電台１に置かれると、充電台１のコネクタ部１３と携帯端末機２のコネクタ部２８が接続される。ステップ１０１で、充電台１の置台検出部１２は、充電台１に携帯端末機２が置かれたことを検出すると、携帯端末機２が置かれたことを台詞メッセージ制御部１０に通知する。携帯端末機２の置台検出部２７は、ステップ１０２で、携帯端末機２が充電台１に置かれたことを検出すると、ステップ１０３、１０４で充電台１と携帯端末機２の間で通信を確立するためのネゴシエーションを行なう。通信が確立されたら、ステップ１０５で、携帯端末機が充電台１に置かれたことを制御部２０に通知し、メモリ部２１に記憶されている少なくとも送受信ログデータを含む各種パラメータの読み出しを許可する。充電台１に携帯端末機２が置かれたことを認識した台詞メッセージ制御部１０は、ステップ１０６で携帯端末機２内のメモリ部２１に保存されている各種パラメータの読み込みを開始する。台詞メッセージ制御部１０は、ステップ１０７で読み込んだ各種パラメータを解析し、ステップ３００で、充電台１内のメモリ部１１内に記憶されている少なくとも１つ以上のテキスト台詞メッセージの中から、読み込んだ各種メッセージを基に想定される状況に対して最適なテキスト台詞メッセージを選択し、メモリ部１１から読み込む。ここで読み込まれた各種パラメータとして、「金曜日」「午後７：００」があったとすると、メモリ部１１から「花の金曜日なのに何も予定が無いのか。」というテキスト台詞メッセージを選択し、読み込む。更に「送信記録無し」「受信記録無し」もあったとすると、「今日、誰かとお話しましたか。友達は大切ですよ。」というテキスト台詞メッセージを選択し読み込む。読み込まれたテキスト台詞メッセージは、ステップ３０１で音声合成処理が施され、ＰＣＭ台詞データに変換される。変換されたＰＣＭ台詞メッセージは、ステップ１０９で、コネクタ部１３、２８を通り、携帯端末機２へ転送される。充電台１の台詞メッセージ制御部１０よりコネクタ部１３、２８を通って転送されたＰＣＭ台詞メッセージは、ステップ１１０で、アナログの音声データに変換される。変換された音声データは、ステップ１１１で増幅器２４にて増幅され、スピーカ２５にて再生される。
【００３４】
以下、本発明の第４の実施例を図５のフローチャートを用いて説明する。
【００３５】
図５は本発明による携帯端末装置の第４の実施例の動作を示すフローチャートである。本実施例ではメモリ部１１に記憶する台詞メッセージを複数のテキスト形式の単語データとすることで、メモリ部１１に記憶させることが出来る単語データを増やしているので、更に様々な状況に応じた台詞メッセージを作成することが可能になる。ハードウェア構成は図１に示すブロック図を用いることができる。
【００３６】
使用者は、帰宅すると携帯端末機２を充電台１に置く。例えば、置かれた時間が６月３０日（金曜日）の午後７：００だったとする。携帯端末機２が充電台１に置かれたことで充電台１のコネクタ部１３と携帯端末機２のコネクタ部２８が接続される。充電台１の置台検出部１２は、ステップ１０１で充電台１に携帯端末機２が置かれたことを検出すると、携帯端末機２が置かれたことを台詞メッセージ制御部１０に通知する。携帯端末機２の置台検出部２７は、ステップ１０２で携帯端末機２が充電台１に置かれたことを検出する。その後、ステップ１０３、１０４で充電台１と携帯端末機２の間で通信を確立するためのネゴシエーションを行なう。通信が確立されたら、ステップ１０５で充電台１に置かれたことを制御部２０に通知し、メモリ部２１に記憶されている少なくとも送受信ログデータを含む各種パラメータの読み出しを許可する。充電台１に携帯端末機２が置かれたことを認識した台詞メッセージ制御部１０は、ステップ１０６で携帯端末機２内のメモリ部２１に保存されている各種パラメータの読み込みを開始する。次に、台詞メッセージ制御部１０は、ステップ１０７で、読み込んだ各種パラメータを解析し、更に、ステップ４００で、充電台１内のメモリ部１１内に記憶されている複数個のテキスト単語データの中から、読み込んだ各種パラメータを基に想定される状況に対して最適な台詞メッセージを、テキスト単語データを繋ぎ合わせて１つのテキスト台詞メッセージを作成する。ここで読み込まれた各種パラメータとして、「金曜日」「午後７：００」があったとすると、メモリ部１１から幾つかのテキスト単語データを選択し、繋ぎ合わせて「花の金曜日なのに何も予定が無いのか。」というテキスト台詞メッセージを作成する。作成されたテキスト台詞メッセージは、ステップ３０１で音声合成処理が施され、ＰＣＭ台詞データに変換される。変換されたＰＣＭ台詞メッセージは、ステップ１０９で、接続されたコネクタ部１３、２８を通り、携帯端末機２へ転送される。充電台１の台詞メッセージ制御部１０よりコネクタ部を通って転送されたＰＣＭ台詞メッセージは、ステップ１１０でアナログの音声データに変換され、変換された音声データは、ステップ１１１で、増幅器２４にて増幅され、スピーカ２５にて再生される。
【００３７】
以下、本発明の第５の実施例について図６及び図７を用いて説明する。
【００３８】
図６は本発明による携帯端末装置の第５の実施例を示すブロック図である。これまでの実施例では、音声データの再生は携帯端末機２が充電台１に置かれた時の１度しか行われなかったが、本実施例では充電台１内にタイマ部１４を設け他ので、充電台１に置かれた時に音声データ再生するだけでなく、次の音声データ再生までの時間をタイマ部１４によって計数させ、タイマ部１４によって設定された時間と一致するたびに各種パラメータを読み取り、その都度、最適な台詞メッセージの再生を行なうことが可能になる。
タイマー部１４の設定、即ち、携帯端末機２を充電台１に置き、次に音声データを再生する間隔の設定を設計時に予め行ってもよいし、使用者が設定できるようにしてもよい。
【００３９】
ここでの携帯端末装置の回路構成は、充電台に関しては、第１の実施例に用いた図１の充電台１の回路構成に加え、次の各種パラメータを読み込むまでの時間を計測するためのタイマ部１４が追加された構成となっている。携帯端末機に関しては、第１の実施例に用いた携帯端末機２の回路構成と同様である。
【００４０】
以下、図７を用いて充電台３及び携帯端末機２の動作について説明する。
【００４１】
図７は本発明による携帯端末装置の第５の実施例の動作を示すフローチャートである。
【００４２】
使用者は、帰宅すると携帯端末機２を充電台３に置く。例えば、置かれた時間が６月３０日（金曜日）の午後７：００だったとする。携帯端末機２が充電台３に置かれたことで充電台１のコネクタ部１３と携帯端末機２のコネクタ部２８が接続される。充電台３の置台検出部１２は、ステップ１０１で、充電台３に携帯端末機２が置かれたことを検出すると、携帯端末機２が置かれたことを台詞メッセージ制御部１０に通知する。携帯端末機２の置台検出部２７は、ステップ１０２で、携帯端末機２が充電台３に置かれたことを検出すると、ステップ１０３，１０４で充電台３と携帯端末機２の間で通信を確立するためのネゴシエーションを行ない、通信が確立されたら、ステップ１０５において、充電台３に置かれたことを制御部２０に通知し、メモリ部２１に記憶されている少なくとも送受信ログデータを含む各種パラメータの読み出しを許可する。充電台３に携帯端末機２が置かれたことを認識した台詞メッセージ制御部１０は、ステップ１０６で、携帯端末機２内のメモリ部２１に保存されている各種パラメータの読み込みを開始する。台詞メッセージ制御部１０は、ステップ１０７で、読み込んだ各種パラメータを解析し、ステップ１０８において、充電台３内のメモリ部１１内に記憶されている少なくとも１つ以上のＰＣＭ台詞メッセージの中から、読み込んだ各種メッセージを基に想定される状況に対して最適なＰＣＭ台詞メッセージを選択し、メモリ部１１から読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込む。更に「送信記録無し」「受信記録無し」もあったとすると、「今日、誰かとお話しましたか。友達は大切ですよ。」というＰＣＭ台詞メッセージを選択し読み込む。ステップ１０９で、読み込まれたＰＣＭ台詞メッセージは接続されたコネクタ部１３，２８を通り、携帯端末機２へ転送される。ここで、充電台３は、一度、ＰＣＭ台詞メッセージを携帯端末機２に転送すると、ステップ５００で、次のログデータを読み込むまでの時間をタイマ部１４にセットする。この時間は前述したように、使用者があらかじめ手動でセットしてもよいし、設計時にあらかじめセットしておいてもよい。タイマ部１４は次のログデータ読み込みタイミングまでの時間をセットさせると、ステップ５０１で、タイマ動作を開始し、時間の計測を開始する。ステップ５０２では、タイマ部１４はセットされた時間と計測時間とが一致するまで、計測を続ける。一方、充電台３の台詞メッセージ制御部１０よりコネクタ部を通って転送されたＰＣＭ台詞メッセージは、ステップ１１０で、アナログの音声データに変換される。変換された音声データは、ステップ１１１で増幅器２４にて増幅され、スピーカ２５にて再生される。一度、音声データが再生されると携帯端末機２では、ステップ５０４に示すように、次のＰＣＭ台詞メッセージが転送されるまで待ち状態となる。タイマ部１４において、セットされた時間と計測時間が一致すると、ステップ５０３に移行して、タイマ動作を停止して計測値をクリアし、ステップ１００に戻り、再び携帯端末機２が充電台３に置かれているか確認し、充電台３に携帯端末機２が置かれていれば、同様に動作を実行して音声データの再生を行なう。
【００４３】
また、ここではタイマ動作を用いて説明しているが、他にもタイマ機能を用いた目覚しアラーム機能等においても、音の再生によって情報を通知する場合はＰＣＭ台詞メッセージの再生で情報の通知を行なうことが可能である。
【００４４】
本実施例での説明はメモリ部１１には文章になっているＰＣＭデータが記憶されている場合について説明したが、これまでに説明したＰＣＭ単語データとして記憶している場合や、テキストデータとして記憶しておき、音声合成処理を施して音声データを作成する場合にも適用することは可能である。
【００４５】
本発明の第６の実施例を図８及び図９により説明する。
【００４６】
これまでの実施例では、充電台１の台詞メッセージ制御部１０によって選択若しくは作成されたＰＣＭ台詞メッセージを携帯端末機２のスピーカ２５より音声に変換して出力するだけのものであったが、本実施例では携帯端末機２の表示部２２に、キャラクタや写真等の様な画像を表示して、音声メッセージの再生に合わせてキャラクタが喋っている様に表示処理を行ない、あたかもキャラクタが使用者に対して話し掛けているかの如く表示させるものである。
【００４７】
携帯端末機２のメモリ部２１には、あたかもキャラクタが動作しているように表示させるための少なくとも１パターン以上のキャラクタの画像が記憶され、更に、キャラクタ数としては少なくとも１種類以上のキャラクタが記憶されている。ハードウェア構成は第１の実施例と同様である。
【００４８】
図８（ａ）、（ｂ）は本発明による携帯端末装置の第６の実施例において、携帯端末機に表示するキャラクタの一実施例を示す正面図である。
【００４９】
表示部２２には、使用者の選択した図８（ａ）に示すキャラクタが表示されている。そして、充電台１内の台詞メッセージ制御部１０よりＰＣＭ台詞メッセージが再生されると、制御部２０は表示部２２に表示されている図８（ａ）のキャラクタの画像と、口の開いている図８（ｂ）に示す画像とを、例えば再生に合わせて、交互に表示させることで、あたかも表示部２２に表示されているキャラクタが使用者に対して喋っているかの様に動かす。このキャラクタは常に表示されていなければならないわけではない。例えばそのキャラクタが歩くことが出来るキャラクタとすると、画面の外に散歩しに出かけてしまったら表示部２２からは一時的にキャラクタが消えるようにしてもよい。
【００５０】
次に、図９のフローチャートを用いて、充電台１及び携帯端末機２の動作を説明する。
【００５１】
図９は本発明による携帯端末装置の第６の実施例の動作を示すフローチャートである。
【００５２】
使用者は、帰宅すると携帯端末機２を充電台１に置く。例えば、置かれた時間が６月３０日（金曜日）の午後７：００だったとする。携帯端末機２が充電台１に置かれたことで充電台１のコネクタ部１３と携帯端末機２のコネクタ部２８が接続される。充電台１の置台検出部１２は、ステップ１０１で、充電台１に携帯端末機２が置かれたことを検出すると、携帯端末機２が置かれたことを台詞メッセージ制御部１０に通知する。携帯端末機２の置台検出部２７は、ステップ１０２で、携帯端末機２が充電台１に置かれたことを検出すると、充電台１と携帯端末機２は、ステップ１０３，１０４で、これらの間で通信を確立するためのネゴシエーションを行ない、通信が確立されたら、ステップ６００で、携帯端末機２が充電台１に置かれたことを制御部２０に通知し、制御部２０はメモリ部２１に記憶されている図８（ａ）のキャラクタ画像を表示部２２に表示する。この場合には、例えば、口を閉じている表情の顔の画像を表示する。更に、制御部２０は、ステップ１０５で、メモリ部２１に記憶されている少なくとも送受信ログデータを含む各種パラメータの読み出しを充電台１に許可する。充電台１に携帯端末機２が置かれたことを認識した台詞メッセージ制御部１０は、ステップ１０６で、携帯端末機２内のメモリ部２１に保存されている各種パラメータの読み込みを開始する。台詞メッセージ制御部１０は、ステップ１０７で、読み込んだ各種パラメータを解析し、ステップ１０８で、充電台１内のメモリ部１１内に記憶されている少なくとも１つ以上のＰＣＭ台詞メッセージの中から、読み込んだ各種メッセージを基に想定される状況に対して最適なＰＣＭ台詞メッセージを選択し、メモリ部１１から台詞メッセージ制御部１０に読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込む。更に「送信記録無し」「受信記録無し」もあったとすると、「今日、誰かとお話しましたか。友達は大切ですよ。」というＰＣＭ台詞メッセージを選択し読み込む。読み込まれたＰＣＭ台詞メッセージは、ステップ１０９で、接続されたコネクタ部を通り、携帯端末機２へ転送される。充電台１の台詞メッセージ制御部１０よりコネクタ部１３、２８を通って転送されたＰＣＭ台詞メッセージは、ステップ１１０で、アナログの音声データに変換される。変換された音声データは増幅器２４にて増幅され、スピーカ２５にて再生される。制御部２０は音声データの再生に合わせて、表示されているキャラクタが喋っている様に表示するために、ステップ６０１で、メモリ部２１に記憶されている少なくとも２つ以上の画像、例えば、図８（ａ）と図８（ｂ）のキャラクタ画像を交互に表示させる。口を閉じている表情の顔の画像と口の開いている表情の画像を交互に表示させることで、そのキャラクタが喋っている様に見せることができる。ステップ７０２で、音声データの再生が終了したら、制御部２０は音声データ再生前に表示されていた図８（ａ）に口を閉じている表情の顔の画像を表示させる。
【００５３】
本実施例において、キャラクタをログデータに応じて選択して、表示部２２に表示する場合には、このキャラクタもメモリ部１１に記憶させておき、このログデータに応じて、キャラクタを選択するようにしてもよい。
【００５４】
以下、本発明の第７の実施例を図１０により説明する。
【００５５】
図１０は本発明による携帯端末装置の第７の実施例において、携帯端末機に表示するキャラクタの一実施例を示す正面図である。
第６の実施例では、携帯端末機２のスピーカ２５から再生される音声データに合わせて表示部２２に表示されているキャラクタを動かすものであったが、本実施例では表示部２２に表示されているキャラクタの状態、若しくは動きに、電池の残量表示機能を付加するものである。
【００５６】
通常、携帯端末機２の表示部２２には、使用者の選択した図１０（ｂ）に示すキャラクタが表示されている。従来、電池残量表示は機種毎に若干の表示の違いはあるものの、２段階以上のインジケータで電池残量表示が行われているため、少なくとも２つ以上の画像を用いて表現する。例えば、充電しないまま使用していて、電池残量が無くなりそうになったら、図１０（ｂ）に示すように普通の表情であったキャラクタが図１０（ｃ）に示すように弱々しい表情であるキャラクタに変化させるようにする。そこで、使用者が携帯端末機２を充電台１に置き、充電を開始すると、電池の残量に応じて図１０（ｂ）に示すような普通の表情であるキャラクタに変化、そして満充電になったら図１０（ａ）に示すような喜びの表情であるキャラクタに変化させ、電池残量の状態に応じたＰＣＭ台詞メッセージの再生を行なう。
【００５７】
また、複数の画像を記憶させておくことが困難である場合には、画像の表示切り替えでは無く、画像の全体若しくは一部の色を変えることで、電池残量を表現しても良い。
【００５８】
ここでは、付加させる情報は電池残量情報であったが、それ以外の通知、例えば受信感度情報を付加しても良い。
【００５９】
次に、本発明の第８の実施例を図１１及び図１２を用いて説明する。
【００６０】
図１１は本発明による携帯端末装置の第８の実施例を示すブロック図である。これまでの実施例では、充電台１内のメモリ手段１１に記憶されている台詞メッセージは、そのデータの形式に関わらず言葉のみで構成されていたが、本実施例では台詞メッセージは言葉の情報だけに限らず、音声データの再生時に合わせて音楽を流すことが出来るように、ＢＧＭ等の様な音楽の情報も合わせ持つことが可能な構成としている。
【００６１】
図に示すように、充電台１よりＰＣＭ台詞メッセージに付加されて転送される音楽データを再生するための音楽データ再生部３４と、再生された音声データと再生された音楽データを同一のスピーカで再生出力するための加算器３５が携帯端末機２内に備えられている。携帯端末機２に転送されるＰＣＭ台詞メッセージには音楽データが付加され、コネクタ部１３、２８を介して携帯端末機２の制御部２０へ転送される。制御部２０は、転送されたＰＣＭ台詞メッセージに音楽データが付加されているか判別し、付加されている場合は、音楽データを抜き出し、音楽データ再生部３４に転送し、再生する。ＰＣＭ台詞メッセージはこれまでの実施例で説明してきた音声データに変換して再生する。ここでは、再生された音声データと音楽データは加算器３５によって加算され、スピーカ２５より再生される。
【００６２】
次に、図１２を用いて充電台１及び携帯端末機４の要部動作について説明する。
【００６３】
図１２は本発明による携帯端末装置の第８の実施例の動作をしめすフローチャートである。
【００６４】
使用者は、帰宅すると携帯端末機４を充電台１に置く。例えば、置かれた時間が６月３０日（金曜日）の午後７：００だったとする。携帯端末機４が充電台１に置かれたことで充電台１のコネクタ部１３と携帯端末機４のコネクタ部２８が接続される。充電台１の置台検出部１２は、ステップ１０１で、充電台１に携帯端末機４が置かれたことを検出すると、携帯端末機４が置かれたことを台詞メッセージ制御部１０に通知する。携帯端末機４の置台検出部２７は、ステップ１０２で、携帯端末機４が充電台１に置かれたことを検出すると、充電台１と携帯端末機４の間では、ステップ１０３、１０４に示すように、通信を確立するためのネゴシエーションを行ない、通信が確立されたら、ステップ１０５で、携帯端末機２が充電台１に置かれたことを制御部２０に通知し、メモリ部２１に記憶されている少なくとも送受信ログデータを含む各種パラメータの読み出しを許可する。充電台１に携帯端末機４が置かれたことを認識した台詞メッセージ制御部１０は、ステップ１０６で、携帯端末機４内のメモリ部２１に保存されている各種パラメータの読み込みを開始する。台詞メッセージ制御部１０は、ステップ１０７で、読み込んだ各種パラメータを解析し、ステップ７００で、充電台１内のメモリ部１１内に記憶されている少なくとも１つ以上の音楽データ付きＰＣＭ台詞メッセージの中から、読み込んだ各種メッセージを基に想定される状況に対して最適な音楽データ付きＰＣＭ台詞メッセージを選択し、メモリ部１１から読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込むこのＰＣＭ台詞メッセージには、例えば、「悲しい音楽気分を誘う音楽」が付加されている。選択された音楽データ付きＰＣＭ台詞メッセージは、ステップ７０１で、接続されたコネクタ部１３、２８を通り、携帯端末機４へ転送される。携帯端末機４は、ステップ７０２で、音楽データが付加されているか否かを制御部２０で判定する。ここで、転送されたＰＣＭ台詞メッセージに音楽データが付加されていなかった場合、第１の実施例で説明したように変換された音声データは増幅器２４にて増幅し、スピーカ２５にて再生される。充電台１より転送されたＰＣＭ台詞メッセージに音楽データが付加されていた場合、ステップ７０３で、制御部２０は音楽データを抜き取り、音楽データ再生部３４に転送し、再生する。合わせて、ＰＣＭ台詞メッセージは、ステップ１１０で、音声データに変換され、増幅器２４にて増幅され、スピーカ２５にて再生される（１１１）。この時、再生された音声データと音楽データは加算器３５において加算され、スピーカ２５より再生される。
【００６５】
また、ここでは、充電台１内のメモリ部１１に記憶されている台詞メッセージに音楽データが付随した構成となっているが、例えば、音楽データに既存の着信メロディを用いる場合には、着信メロディは携帯端末機２のメモリ部２１に記憶されているので、これを用いることによって、台詞メッセージのデータ量を増加させずに、台詞メッセージの再生に音楽を合わせて再生することも可能である。
【００６６】
また、音楽データは使用者の意志によって、付加するかどうかを決めても良い。
【００６７】
次に、本発明の第９の実施例を図１３及び図１４を用いて説明する。
【００６８】
図１３は本発明による携帯端末装置の第９の実施例を示すブロック図である。
【００６９】
これまでの実施例では、充電台−携帯端末機間におけるデータ転送手段としてコネクタ接続による物理的な信号線接続手段であるため、必ず、携帯端末機２を充電台に置かなければ各種パラメータやＰＣＭ台詞メッセージの受け渡しが行われなかったが、本実施例では充電台１−携帯端末機２間での各種パラメータやＰＣＭ台詞メッセージの転送手段に無線通信手段を用いることによって、必ずしも、携帯端末機２を充電台に置かなくても、各種パラメータやＰＣＭ台詞メッセージの転送が可能になる。
【００７０】
図に示すように、本実施例の携帯端末装置の回路構成は、充電台５に関しては、第１の実施例に用いたコネクタ部１３が無線通信手段１５に置き換わり、携帯端末機６に関しては、第１の実施例に用いたコネクタ部２８が無線通信手段４０に置き換わっている構成となっている他は、第１の実施例を示す図１及び図２の構成と基本的には変わらない。
【００７１】
以下、図１４をもちいて、充電台５及び携帯端末機６の要部動作について説明する。
【００７２】
図１４は本発明による携帯端末装置の第９の実施例を示すフローチャートである。
【００７３】
使用者は、帰宅すると携帯端末機６を充電台５に置く。例えば、置かれた時間が６月３０日（金曜日）の午後７：００だったとする。充電台５の置台検出部１２は、ステップ１０１で、充電台５に携帯端末機６が置かれたことを検出すると、携帯端末機６が置かれたことを台詞メッセージ制御部１０に通知する。携帯端末機６の置台検出部２７は、ステップ１０２で、携帯端末機６が充電台５に置かれたことを検出すると、ステップ１０３、１０４で、充電台５と携帯端末機６の間で通信を確立するためのネゴシエーションを行ない、通信が確立されたら、携帯端末機６は、ステップ１０５で、携帯端末機６が充電台５に置かれたことを制御部２０に通知し、メモリ部２１に記憶されている各種パラメータの読み出しを許可する。携帯端末機６の載置を検出すると、ステップ８００で、台詞メッセージ制御部１０は無線通信手段１５より、携帯端末機６に対して各種パラメータの転送要求信号を送信する。携帯端末機６は、充電台５の無線通信手段１５より送信された各種パラメータの転送要求信号を無線通信手段４０で受信すると、ステップ８０１で、各種パラメータを無線通信手段４０より充電台５に対して送信する。台詞メッセージ制御部１０は、ステップ１０７において、送信された各種パラメータを解析し、ステップ１０８で、充電台５内のメモリ部１１内に記憶されている少なくとも１つ以上のＰＣＭ台詞メッセージの中から、読み込んだ各種メッセージを基に想定される状況に対して最適なＰＣＭ台詞メッセージを選択し、メモリ部１１から読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込む。読み込まれたＰＣＭ台詞メッセージは、ステップ８０２で、無線通信手段１５より、携帯端末機６へ転送される。充電台５の無線通信手段１５より送信されたＰＣＭ台詞メッセージは、ステップ１１０で、アナログの音声データに変換される。変換された音声データは、ステップ１１１で、増幅器２４にて増幅され、スピーカ２５にて再生される。
【００７４】
この無線通信手段１５、４０は、例えば社団法人電波産業会で策定する第二世代小電力データ通信システム／ワイヤレスＬＡＮシステム（ＡＲＩＢ  ＳＴＤ−Ｔ６６）に準拠したものでも良い。
【００７５】
上記の実施例においては、携帯端末機６を充電台５に置くことを検出することで各種パラメータの送受信を行な場合を例にとって説明したが、本実施例では携帯端末機６は必ずしも充電台５におく必要はなく、携帯端末機６に設けた特定のキーを押すことによって、各種パラメータの読み出しを許可し、携帯端末機６の各種パラメータを無線通信手段４０から充電台５に送信するようにしてもよい。この場合には、ステップ１０６以降は同じステップで同様な機能を達成することができる。従って、充電台に携帯端末機を置く必要が無くなり、データ送信可能範囲内にいるだけで各種パラメータの送信が可能になる。
【００７６】
以下、本発明の第１０の実施例について図１５を用いて説明する。
【００７７】
図１５は本発明による携帯端末装置の第１０の実施例を示すフローチャートである。
【００７８】
これまでの実施例では、充電台１のメモリ部１１に記憶されている台詞メッセージは日本語で記述され、そのまま日本語で再生されていたが、本実施例では、メモリ部１１に記憶されている台詞メッセージが日本語で再生されるだけでなく、使用者の送受信するメールの文章から使用者が頻繁に使うと思われる言語を検出し、再生する台詞メッセージを検出された言語に翻訳して再生を行なう。この場合、英語やフランス語、ドイツ語等を主として使用している人々が、日本にいても母国語でメッセージの再生が行われることになる。ハードウェア構成は図１のブロック図と同じである。
【００７９】
使用者は、帰宅すると携帯端末機２を充電台１に置く。例えば、置かれた時間が６月３０日（金曜日）の午後７：００だったとする。携帯端末機２が充電台１に置かれたことで充電台１のコネクタ部１３と携帯端末機２のコネクタ部２８が接続される。充電台１の置台検出部１２は、ステップ１０１で、充電台１に携帯端末機２が置かれたことを検出すると、携帯端末機２が置かれたことを台詞メッセージ制御部１０に通知する。携帯端末機２の置台検出部２７は、ステップ１０２で、携帯端末機２が充電台１に置かれたことを検出する。これらの検出が行われると、ステップ１０３、１０４で、充電台１と携帯端末機２の間で通信を確立するためのネゴシエーションを行なう。通信が確立されたら、携帯端末機６では、ステップ１０５で、充電台１に置かれたことを制御部２０に通知し、メモリ部２１に記憶されている少なくとも送受信ログデータを含む各種パラメータの読み出しを許可する。続けて、ステップ９００で、制御部２０は携帯端末機２では自身のメモリ部２１に記憶されている送受信メールの文章を読み、最もよく使われている言語を調べる。送受信メールの文章を単語に分割し、最も使用頻度の高い定冠詞を検出、定冠詞より外国語の特定を行なう。その時、充電台１に携帯端末機２が置かれたことを認識した台詞メッセージ制御部１０は、ステップ１０６で、携帯端末機２内のメモリ部２１に保存されている各種パラメータの読み込みを開始する。台詞メッセージ制御部１０は、ステップ１０７で、読み込んだ各種パラメータを解析し、ステップ１０８で、充電台１内のメモリ部１１内に記憶されている少なくとも１つ以上のＰＣＭ台詞メッセージの中から、読み込んだ各種メッセージを基に想定される状況に対して最適なＰＣＭ台詞メッセージを選択し、メモリ部１１から読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込む。読み込まれたＰＣＭ台詞メッセージは、ステップ１０９で、互いに接続されているコネクタ部１３，２８を通り、携帯端末機２へ転送される。充電台１の台詞メッセージ制御部１０よりコネクタ部を通って転送されたＰＣＭ台詞メッセージは、ステップ９０１で、先に制御部２０によって送受信メールを調べた結果から、最もよく使われている言語に翻訳される。更に、ＰＣＭ台詞メッセージは、ステップ１１０で、アナログの音声データに変換される。変換された音声データは、ステップ１１１で、増幅器２４にて増幅され、スピーカ２５にて再生される。
【００８０】
ここでは、使用されている言語の特定方法には、定冠詞を用いた判別を行なっているが、それ以外の方法を用いてもよい。
【００８１】
また、本発明の実施例において、メモリ部１１に日本語の他に複数の言語、例えば英語、ドイツ語、フランス語等を記憶させておくと、台詞メッセージ制御部１０によりこれらの言語の内から直接検出すべきメッセージを選択することができるため、メモリ容量は増えるが、翻訳をする必要はなくなる。
【００８２】
以下、本発明の第１１の実施例について図１６及び図１７を用いて説明する。
【００８３】
図１６は本発明による携帯端末装置の第１１の実施例を示すブロック図である。
本実施例では、充電台７に外部機器との接続を可能とするために、入出力Ｉ／Ｆ部である外部機器接続用コネクタ部１６を設けている。このコネクタ部１６を設けることによって、ＰＣＭ台詞メッセージ以外にも、外部から入力された音楽フォーマットデータの再生や、外部機器からの音楽を再生することが可能になる。
【００８４】
ここでの携帯端末装置２の回路構成は、充電台に関しては、第１の実施例に用いた図１の充電台１の回路構成に、外部機器と接続するための外部機器接続用コネクタ１６が追加された構成となっている。携帯端末機２に関しては、図１に示す実施例と回路構成が同じである。
【００８５】
図１７は本発明による携帯端末装置の第１１の実施例の動作を示すフローチャートである。以下、このフローチャートに従って本発明の要部動作を説明する。
【００８６】
使用者は、帰宅すると携帯端末機２を充電台７に置く。例えば、置かれた時間が６月３０日（金曜日）の午後７：００だったとする。携帯端末機２が充電台７に置かれたことで、充電台７のコネクタ部１３と携帯端末機２のコネクタ部２８が接続される。充電台７の置台検出部１２は、ステップ１０１で、充電台７に携帯端末機２が置かれたことを検出すると、携帯端末機２が置かれたことを台詞メッセージ制御部１０に通知する。携帯端末機２の置台検出部２７は、ステップ１０２で、携帯端末機２が充電台７に置かれたことを検出する。これらが検出されると、ステップ１０３、１０４で、充電台７と携帯端末機２の間で通信を確立するためのネゴシエーションを行なう。通信が確立されたら、携帯端末機２は、ステップ１０５で、充電台７に置かれたことを制御部２０に通知し、メモリ部２１に記憶されている少なくとも送受信ログデータを含む各種パラメータの読み出しを充電台７に対して許可する。充電台７に携帯端末機２が置かれたことを認識した台詞メッセージ制御部１０は、ステップ１０６で、携帯端末機２内のメモリ部２１に保存されている各種パラメータの読み込みを開始する。ここで携帯端末機２より読み込んだ各種パラメータは、送受信ログデータ等の各種ログデータとしているが、時計機能部より日時データや位置情報データ、更には今後実施される新規サービスにおいて出てくるログデータも含めてもよい。台詞メッセージ制御部１０は、ステップ１０７で、読み込んだ各種パラメータを解析し、ステップ９５０で、充電台７の外部機器接続用コネクタ部１６によって接続されている外部機器よりデータを選択する。ここで読み込まれた各種パラメータとして、「金曜日」「午後７：００」があったとすると、外部機器接続用コネクタ部１６によって接続されている外部機器より、曲Ａを選択する。選択された外部機器用データは、ステップ９５１で、接続されたコネクタ部１３、２８を通り、携帯端末機２へ転送される。充電台７の台詞メッセージ制御部１０よりコネクタ部１３、２８を通って転送された外部機器用データは、ステップ９５２で、アナログデータに変換される。変換されたアナログデータは、ステップ９５３で、増幅器２４にて増幅され、スピーカ２５にて再生される。
【００８７】
ここでは、再生処理が始まってから外部機器用データの選択及び転送を行なったが、あらかじめ再生する外部機器用データを携帯端末機２に転送しておいても良い。
【００８８】
以下、本発明の第１２の実施例について図１８及び図１９をもちいて説明する。
【００８９】
図１８は本発明による携帯端末装置の第１２の実施例を示すブロック図である。本実施例では、充電台１にＭＭＣ（ＭｕｌｔｉＭｅｄｉａＣａｒｄ）に代表される小型のメモリカード用のコネクタを備えることで、充電台１のメモリ１１内に記憶されているＰＣＭ台詞メッセージのメッセージ数の拡張が可能となる。これによって、あらかじめ記憶されている固定メッセージだけでなく、小型のメモリカードを差し替えることで、様々なバリエーションのＰＣＭ台詞メッセージの再生ができる。
【００９０】
ここでの携帯端末装置２の回路構成は、充電台１に関しては、第１の実施例に用いた図１の充電台１の回路構成に、小型のメモリカード用のスロット部１７が追加された構成となっている。携帯端末機２に関しては、第１の実施例に用いた携帯端末機２の回路構成と同様である。
【００９１】
以下、図１９を用いて、充電台８及び携帯電話２の要部動作について説明する。
図１９は本発明による携帯端末装置の第１２の実施例の動作を示すフローチャートである。
【００９２】
使用者は、帰宅すると携帯電話２を充電台８に置く。例えば、置かれた時間が６月３０日（金曜日）の午後７：００だったとする。携帯電話２が充電台８に置かれたことで充電台８のコネクタ部１３と携帯電話２のコネクタ部２８が接続される。充電台８の置台検出部１２は、充電台８に携帯電話２が置かれたことを検出すると、ステップ１０１で、携帯電話２が置かれたことを台詞メッセージ制御部１０に通知する。携帯電話２の置台検出部２７は、ステップ１０２で、携帯電話２が充電台８に置かれたことを検出する。その後、ステップ１０３、１０４で、充電台８と携帯電話２の間で通信を確立するためのネゴシエーションを行なう。通信が確立されたら、ステップ１０５で、充電台８に置かれたことを制御部２０に通知し、メモリ部２１に記憶されている少なくとも送受信ログデータを含む各種パラメータの読み出しを許可する。充電台８に携帯電話２が置かれたことを認識した台詞メッセージ制御部１０は、ステップ１０６で、携帯電話２内のメモリ部２１に保存されている各種パラメータの読み込みを開始する。ここで携帯電話２より読み込んだ各種パラメータは、送受信ログデータ等の各種ログデータとしているが、時計機能部より日時データや位置情報データ、更には今後実施される新規サービスにおいて出てくるログデータも含めてもよい。台詞メッセージ制御部１０は、ステップ１０７で、読み込んだ各種パラメータを解析し、ステップ９８０で、充電台８内のＭＭＣ用スロット部１７に挿入されているＭＭＣに記憶されている少なくとも１つ以上のＰＣＭ台詞メッセージの中から、読み込んだ各種メッセージを基に想定される状況に対して最適なＰＣＭ台詞メッセージを選択し、読み込む。ここで読み込まれた各種パラメータとして、「金曜日」「午後７：００」があったとすると、メモリ部１１から「花の金曜日なのに何も予定が無いのか。」というＰＣＭ台詞メッセージを選択し、読み込む。読み込まれたＰＣＭ台詞メッセージは、ステップ１０９で、互いに接続されたコネクタ部１３、２８を通り、携帯電話２へ転送される。充電台８の台詞メッセージ制御部１０よりコネクタ部を通って転送されたＰＣＭ台詞メッセージは、ステップ１１０で、アナログの音声データに変換される。変換された音声データは、ステップ１１１で、増幅器２４にて増幅され、スピーカ２５にて再生される。
【００９３】
これまでの説明では、音声データを作成するための充電台のメモリ部に記憶されているメッセージ若しくは単語データの形式としてＰＣＭ形式と、音声合成方式で音声を合成するためのテキスト形式の、２種類の形式を用いて説明したが、それ以外の形式及び、音声データを作成するための方法を用いても良い。
【００９４】
また、複数の実施例を説明してきたが、これらの複数の方法をどの様な組み合わせで音声データの再生を実施しても良い。
【００９５】
【発明の効果】
以上述べたように、本発明によれば、充電台を有効的に利用して、携帯端末機内に保存されている送受信ログデータを含む各種パラメータをもとに、充電台において、その日若しくはその時の状況に応じたメッセージを選択し、携帯端末機にて選択されたメッセージを再生することが可能となる。
【図面の簡単な説明】
【図１】本発明による携帯端末装置の第１の実施例を示すブロック図である。
【図２】本発明による携帯端末装置の第１の実施例の動作を示すフローチャートである。
【図３】本発明による携帯端末装置の第２の実施例の動作を示すフローチャートである。
【図４】本発明による携帯端末装置の第３の実施例の動作を示すフローチャートである。
【図５】本発明による携帯端末装置の第４の実施例の動作を示すフローチャートである。
【図６】本発明による携帯端末装置の第５の実施例を示すブロック図である。
【図７】本発明による携帯端末装置の第５の実施例の動作を示すフローチャートである。
【図８】本発明による携帯端末装置の第６の実施例において、携帯端末機に表示するキャラクタの一実施例を示す正面図である。
【図９】本発明による携帯端末装置の第６の実施例の動作を示すフローチャートである。
【図１０】本発明による携帯端末装置の第７の実施例において、携帯端末機に表示するキャラクタの一実施例を示す正面図である。
【図１１】図１１は本発明による携帯端末装置の第８の実施例を示すブロック図である。
【図１２】本発明による携帯端末装置の第８の実施例の動作をしめすフローチャートである。
【図１３】本発明による携帯端末装置の第９の実施例を示すブロック図である。
【図１４】本発明による携帯端末装置の第９の実施例を示すフローチャートである。
【図１５】本発明による携帯端末装置の第１０の実施例を示すフローチャートである。
【図１６】本発明による携帯端末装置の第１１の実施例を示すブロック図である。
【図１７】本発明による携帯端末装置の第１１の実施例の動作を示すフローチャートである。
【図１８】本発明による携帯端末装置の第１２の実施例を示すブロック図である。
【図１９】本発明による携帯端末装置の第１２の実施例の動作を示すフローチャートである。
【符号の説明】
１０…台詞メッセージ制御部、１１…メモリ部、１２…置台検出部、１３…コネクタ部、１４…タイマ部、１５…無線通信手段、１６…外部機器接続用コネクタ部、１７…ＭＭＣスロット部、２０…制御部、２１…メモリ部、２２…表示部、２３…入力手段、２４…増幅器、２５…スピーカ、２６…時計部、２７…置台検出部、２８…コネクタ部、２９…アンテナ、３０…無線手段、３１…符号復号処理手段、３２…マイク、３３…レシーバ、３４…音楽データ再生部、３５…加算器、４０…無線通信手段。
【図１】
0003884902.tif 000002
【図２】
0003884902.tif 000003
【図３】
0003884902.tif 000004
【図４】
0003884902.tif 000005
【図５】
0003884902.tif 000006
【図６】
0003884902.tif 000007
【図７】
0003884902.tif 000008
【図８】
0003884902.tif 000009
【図９】
0003884902.tif 000010
【図１０】
0003884902.tif 000011
【図１１】
0003884902.tif 000012
【図１２】
0003884902.tif 000013
【図１３】
0003884902.tif 000014
【図１４】
0003884902.tif 000015
【図１５】
0003884902.tif 000016
【図１６】
0003884902.tif 000017
【図１７】
0003884902.tif 000018
【図１８】
0003884902.tif 000019
【図１９】
0003884902.tif 000020